(57)【要約】【課題】部屋の複数の壁面に、電子ペンで読み取ることができるコード化パターンを形成することで壁面を有効活用したシステムを提供する。【解決手段】ドットパターンが形成された壁面シート４と識別シート５とを各壁面に対にして取り付ける。各壁面シート４のドットパターンは同じだが、識別シート５のドットパターンは互いに異なる。電子ペン１で特定の識別シート５のドットパターンを読み取らせたうえで、同じ壁面にある識別シート５に電子ペン１で記入することで、各識別シート５は同じドットパターンであっても、コンピュータ装置２は、壁面シート４を識別して、電子ペン１で読み取った情報を記憶する。【選択図】図１
0003156526.tif 000002
【実用新案登録請求の範囲】
【請求項１】
位置座標を示すコード化パターンが形成され、壁面に取り付けられる壁面シートと、
前記壁面シートのコード化パターンが示す位置座標の座標領域とは異なり、かつ、互いに異なる位置座標を示すコード化パターンが形成された複数の識別シートと、
前記コード化パターンを読み取る読取手段と、
前記読取手段から送信されたコード化パターンに関する情報を受信して、当該情報に応じた処理を行うコンピュータ装置とを備え、
前記コンピュータ装置は、
前記読取手段から送信されたコード化パターンに関する情報を受信する受信手段と、
少なくとも各識別シートに形成されたコード化パターンの座標領域を記憶する記憶手段と、
前記記憶手段を参照して、前記受信手段により受信した前記コード化パターンに関する情報から前記複数の識別シートのうち前記読取手段が読み取った特定の識別シートを識別し、前記壁面シートのコード化パターンを前記読取手段により読み取ることにより得られた情報を、前記特定した識別シートに応じて識別可能に前記記憶手段に記憶させる処理手段と
を備えることを特徴とする情報処理システム。
【請求項２】
前記識別シートの枚数に応じて、複数枚の前記壁面シートが、壁面に取り付けられていることを特徴とする請求項１に記載の情報処理システム。
【請求項３】
前記記憶手段は、識別シートと壁面シートとの対応関係をさらに記憶しており、
前記処理手段は、前記識別した識別シートに対応した前記壁面シートを特定することを特徴とする請求項２に記載の情報処理システム。
【請求項４】
各壁面ごとに、識別シートと壁面シートとが対となって取り付けられていることを特徴とする請求項２又は３のうちいずれか一項に記載の情報処理システム。
【請求項５】
前記処理手段は、前記識別した識別シートに応じて、表示手段の表示画面上で異なるシート又はウィンドウに、前記コード化パターンに関する情報に基づくストロークを描画することを特徴とする請求項１〜４のうちいずれか一項に記載の情報処理システム。
【考案の詳細な説明】
【技術分野】
【０００１】
本考案は、位置座標を示すコード化パターンを用いて情報を入力することができる情報処理システムに関し、特に、壁面にコード化パターンを形成したシステムに関する。
【背景技術】
【０００２】
近年、記入した情報を電子化する電子ペンが開発されており、その代表的なものとしてスウェーデンのAnoto 社が開発した「アノトペン（Anoto pen）」が知られている。アノトペンは、所定のアルゴリズムによりパターン化された位置座標を示すドットパターンが印刷された専シートとともに使用される（例えば、特許文献１参照）。
【０００３】
また、このような電子ペンと、コンピュータ、プロジェクター及びスクリーンを用いて、スクリーンに電子ペンで記入ないし走査すると、それに応じてコンピュータが所定の処理を行うとともに、コンピュータの表示画面をプロジェクターでスクリーンに投影するシステムを本出願人は提案している（例えば、特許文献２）。ここにおいて、スクリーンに形成したドットパターンの座標系と、コンピュータ装置の表示画面における座標系を合わせるためのキャリブレーション処理についても提案している。また、同様のシステムにおいて、ドットパターンが形成されたスクリーンを壁面にフックなどで取り付けることも提案されている（特許文献３）。
【先行技術文献】
【特許文献】
【０００４】
【特許文献１】特表２００３−５１１７６１号公報
【特許文献２】実用新案登録第３１５１８８６号公報
【特許文献３】特開２００２−１４９３３１号公報
【考案の概要】
【考案が解決しようとする課題】
【０００５】
このような電子ペンを用いたシステムを使って、近年、会議やプレゼンテーションを行うニーズが高まっている。そこで、本考案は、会議やプレゼンテーション等で用いる部屋やパーティションボードなどの壁面に、電子ペンで読み取ることができるコード化パターンを形成することで壁面を有効活用したシステムを提供することを目的とする。
【課題を解決するための手段】
【０００６】
本考案に係る情報処理システムは、位置座標を示すコード化パターンが形成され、壁面に取り付けられる壁面シートと、前記壁面シートのコード化パターンが示す位置座標の座標領域とは異なり、かつ、互いに異なる位置座標を示すコード化パターンが形成された複数の識別シートと、前記コード化パターンを読み取る読取手段と、前記読取手段から送信されたコード化パターンに関する情報を受信して、当該情報に応じた処理を行うコンピュータ装置とを備え、
前記コンピュータ装置は、前記読取手段から送信されたコード化パターンに関する情報を受信する受信手段と、少なくとも各識別シートに形成されたコード化パターンの座標領域を記憶する記憶手段と、前記記憶手段を参照して、前記受信手段により受信した前記コード化パターンに関する情報から前記複数の識別シートのうち前記読取手段が読み取った特定の識別シートを識別し、前記壁面シートのコード化パターンを前記読取手段により読み取ることにより得られた情報を、前記特定した識別シートに応じて識別可能に前記記憶手段に記憶させる処理手段とを備えることを特徴とする。
【０００７】
本考案によれば、互いに異なる座標領域の位置座標を示すコード化パターンが形成された複数の識別シートを備え、記憶手段には、各識別シートに形成されたコード化パターンの座標領域を記憶しており、処理手段は、記憶手段を参照して、受信手段により受信したコード化パターンに関する情報から複数の識別シートのうち前記読取手段が読み取った特定の識別シートを識別し、壁面シートのコード化パターンを読取手段により読み取ることにより得られた情報を、特定した識別シートに応じて識別可能に記憶手段に記憶させる。そのため、ユーザは、読取手段により特定の識別シートのコード化パターンを読み取らせることにより、１枚の壁面シートから読取手段により読み取った内容を区別して、記憶手段に記憶させることができる。
【０００８】
上記情報処理システムにおいて、前記識別シートの枚数に応じて、複数枚の前記壁面シートを、壁面に取り付けるとよい。これにより、ユーザは、読取手段により特定の識別シートのコード化パターンを読み取らせるとともに、その識別シートに対応した壁面シートに読取手段により記入することで、利用する壁面シートを区別することができる。
【０００９】
さらに、上記情報処理システムにおいて、前記記憶手段は、識別シートと壁面シートとの対応関係をさらに記憶しており、前記処理手段は、前記識別した識別シートに対応した前記壁面シートを特定するよう構成するとよい。この構成により、識別可能に記憶させた情報がどの壁面シートに記入されたものであるかを特定することができる。
【００１０】
また、上記情報処理システムにおいて、各壁面ごとに、識別シートと壁面シートとを対となるよう取り付けるとよい。この構成により、同じ壁面に取り付けられた識別シートと壁面シートとが対として関連付けられていることがユーザにとって把握しやすくなる。
【００１１】
また、上記情報処理システムにおいて、前記処理手段は、前記識別した識別シートに応じて、表示手段の表示画面上で異なるシート又はウィンドウに、前記コード化パターンに関する情報に基づくストロークを描画するよう構成するとよい。この構成により、壁面シートから読み取った情報に関して、識別した識別シートに応じて、表示手段の表示画面上で異なるシート又は異なるウィンドウにストロークが描画されるため、壁面シートから読み取った情報に基づくストロークが、壁面シートに対応付けられた識別シート毎に別のシート又は別のウィンドウに表示されることとなり、ユーザにとって認識しやすくなる。
【考案の効果】
【００１２】
本考案によれば、壁面に壁面シートを取り付け、読取手段により特定の識別シートのコード化パターンを読み取らせることにより、壁面シートに読取手段により読み取ったコード化パターンに基づくストロークを区別して、記憶手段に記憶させたり表示手段に表示させたりすることができ、壁面を有効活用してシステムを構成することができる。
【図面の簡単な説明】
【００１３】
【図１】第１実施形態における情報処理システムのシステム構成図である。
【図２】ドットパターンにおけるドットの配置と変換される値との関係を示す説明図である。
【図３】（ａ）は、ドットパターンを模式的に示し、（ｂ）は、それに対応する情報の例を示す図である。
【図４】電子ペンの構造を示す概略図である。
【図５】コンピュータ装置の機能ブロック図である。
【図６】座標情報管理テーブルのデータ構造を示す概念図である。
【図７】シート関連付け管理テーブルのデータ構造を示す概念図である。
【図８】記入データ・ファイルのファイル構造を示す概念図である。
【図９】第１実施形態における処理フロー図である。
【図１０】第２実施形態における情報処理システムのシステム構成図である。
【図１１】第２実施形態における処理フロー図である。
【図１２】第３実施形態における情報処理システムのシステム構成図である。
【図１３】第４実施形態における情報処理システムのシステム構成図である。
【考案を実施するための形態】
【００１４】
以下、図面を参照して、本考案の好適な情報処理システムについて詳細に説明する。
【００１５】
＜第１実施形態＞
［情報処理システムのシステム構成］
図１は、本第１実施形態における情報処理システムのシステム構成図である。図１に示すように、本第１実施形態における情報処理システムは、ユーザが使用する電子ペン（読取手段）１と、電子ペン１から記入情報等を受信して処理するコンピュータ装置２と、ドットパターン（コード化パターン）が印刷され、部屋の各壁面３Ａ〜３Ｃに取り付けられた壁面シート４Ａ〜４Ｃと、各壁面シート４を識別するために各壁面シート４の側方に添えて各壁面３Ａ〜３Ｃに取り付けられ、ドットパターン（コード化パターン）が印刷された識別シート５Ａ〜５Ｃとから構成される。
【００１６】
［壁面シート］
まず、壁面シート４について説明する。壁面シート４Ａ〜４Ｃには、位置座標を示すドットパターンが電子ペン１で読取可能なインク（赤外線を吸収するインク）で印刷されている。壁面シート４Ａ〜４Ｃのドットパターンは、同じパターン（「コピーパターン」とも呼ぶ）となっており、同じ座標領域を示す。各壁面シート４Ａ〜４Ｃは、部屋やパーティションボードなどの壁面ごとに取り付けられる。各壁面シート４は、壁面に対して接着剤等で貼付してもよく、壁面用のパネルにドットパターンを印刷して壁の表面として用いられるものでもよい。壁面シート４の基材は、紙、樹脂等を用いることができる。なお、各壁面シート４Ａ〜４Ｃの大きさが異なる場合には、１つのコピーパターンの座標領域から各壁面シート４Ａ〜４Ｃの大きさに合わせてドットパターンを印刷すればよい。すなわち、各壁面シート４Ａ〜４Ｃは、互いに共通する座標領域及び共通しない座標領域を有することとなる。
【００１７】
〔識別シート〕
識別シート５について説明する。識別シート５Ａ〜５Ｃは、各壁面シート４Ａ〜４Ｃを識別するために、各壁面シート４Ａ〜４Ｃに添えて各壁面３Ａ〜３Ｃに取り付けられる。そして、識別シート５Ａ〜５Ｃには、壁面シート４Ａ〜４Ｃに形成されたドットパターンとは異なり、なおかつ互いに異なる座標領域の位置座標を示すドットパターンが、電子ペン１で読取可能なインク（赤外線を吸収するインク）で印刷されている。さらに、識別シート５Ａ〜５Ｃには、シートＩＤ（シート識別情報）を目視により識別できるように、なおかつ電子ペン１で読取できないインク（赤外線を吸収しないインク）で、それぞれ「０１」「０２」「０３」と印刷されている。各識別シート５も、壁面シート４と同様に、壁面に対して接着剤等で貼付してもよく、壁面用のパネルにドットパターンを印刷したものであってもよい。識別シート５の基材は、紙、樹脂等を用いることができる。
【００１８】
［ドットパターン］
続いて、壁面シート４や識別シート５に印刷されるアノト方式のドットパターン（コード化パターン）について説明する。図２は、ドットパターンのドットとそのドットが変換される値との関係を説明する図である。図２に示すように、ドットパターンの各ドットは、その位置によって所定の値に対応付けられている。すなわち、ドットの位置を仮想格子点である基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、シート４，５上の位置座標が決定されるよう構成されている。このドットパターンは、赤外線を吸収するカーボンを含有するインクによって印刷されている。
【００１９】
図３（ａ）は、ある位置のドットパターンの配列を示している。図３（ａ）に示すように、縦横約２ｍｍの範囲内に６×６個のドットが、壁面シート４上のどの部分から６×６ドットを取ってもユニークなパターンとなるように配置されている。これら３６個のドットにより形成されるドットパターンは、壁面シート４における相対的な位置座標を保持している。図３（ｂ）は、図３（ａ）に示す各ドットを、格子の基準位置からのシフト方向によって、図２に示す規則性に基づいて対応づけられた値に変換したものである。この変換は、ドットパターンの画像を撮影する電子ペン１によって行われる。
【００２０】
［電子ペン］
次に、電子ペン１について説明する。図４は、電子ペン１の構造を示す概略図である。図４に示すように、電子ペン１は、その筐体１０１の内部に、ペン部１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１及びバッテリー１１２を備える。ペン部１０４には、布等で拭うことで消去可能なインクが充填されており、そのペン先部１０３でストロークを壁面シート４に記入することができる構成となっている。ユーザは、電子ペン１のペン先部１０３を壁面シート４に当接させて、文字等のストロークを記入したり、タップ（ペン先部１０３によるシート４，５への軽叩）したりする。ここで、電子ペン１のペン先部１０３がシート４，５に最初に接触することをペンダウンと呼び、接触している（当接している）状態からペン先部１０３が離れることをペンアップと呼ぶ。電子ペン１のペンダウンからペンアップまでの間に記入される軌跡が１つのストロークとなり、文字や図形等は、１つ又は複数個のストロークからなる。
【００２１】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、ユーザが電子ペン１によりシート４，５に文字やマークを書いたりタップしたりする際にペン先部１０３からペン部１０４を通じて与えられる圧力、即ち筆圧を検出し、その値をプロセッサ１０８へ伝送する。
【００２２】
プロセッサ１０８は、圧力センサ１０７から与えられる筆圧データに基づいて、ＬＥＤ１０５及びＣＭＯＳカメラ１０６のスイッチのオン／オフを切換える。即ち、ユーザが電子ペン１でシート４，５に文字などを書いたりタップしたりすると、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。また、ユーザが１つのストロークを記入し終えて電子ペン１を壁面シート４から離すと、圧力センサ１０７は、所定値以上の筆圧が検出されなくなることでペンアップを検出する。
【００２３】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、壁面シート４上のペン先部１０３近傍に向けて赤外線を照射する。その領域は、ペン先部１０３が壁面シート４に接触する位置とはわずかにずれている。ＣＭＯＳカメラ１０６は、ＬＥＤ１０５によって照射された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が少なく、ドット以外の部分は赤外線の反射量が多い。したがって、ＣＭＯＳカメラ１０６の撮影により、赤外線の反射量の違いから閾値を設けることによって、カーボンを含むドットの領域とそれ以外の領域を区別することができる。なお、ＣＭＯＳカメラ１０６による撮影領域は、図３（ａ）に示すような約２ｍｍ×約２ｍｍの大きさを含む範囲であり、ＣＭＯＳカメラ１０６の撮影は毎秒５０〜１００回程度の定間隔で行われる。
【００２４】
プロセッサ１０８は、ユーザの記入が行われる間、ＣＭＯＳカメラ１０６によって供給される画像データのドットパターンから、ユーザが記入するストローク（筆跡）のシート４，５上におけるＸ，Ｙ座標（単に「位置座標」、「座標データ」とも呼ぶ）とシート４，５に固有のドットパターンアドレス（コード化パターンアドレス）とを連続的に演算していく。すなわち、プロセッサ１０８は、ＣＭＯＳカメラ１０６によって供給される、図３（ａ）に示されるようなドットパターンの画像データを図３（ｂ）に示すデータ配列に変換し、さらに、Ｘ座標ビット値及びＹ座標ビット値に変換して、そのデータ配列から所定の演算方法によりＸ，Ｙ座標データ及びドットパターンアドレスを演算する。そしてプロセッサ１０８は、リアルタイムクロック１１０から発信される現在時刻（タイムスタンプ：記入された時刻情報）、筆圧データ、ドットパターンアドレス及びＸ，Ｙ座標データとを関連付ける。なお、シート４，５における６×６のドットパターンは、同じシート４，５内で重複することはないため、ユーザが電子ペン１で文字等を記入すると、記入された位置がシート４，５のどの位置に当たるかを、プロセッサ１０８による座標演算により特定することができる。
【００２５】
メモリ１０９には、電子ペン１を識別するための「ｐｅｎ０１」といったペンＩＤ、ペン製造者番号、ペンソフトウェアのバージョン等のプロパティ情報が記憶されている。そして、通信ユニット１１１は、１回のペンダウンからペンアップまでに電子ペン１により生成されるＸ，Ｙ座標データ、ドットパターンアドレス、時刻情報（タイムスタンプ）、筆圧データ（以上、「ストローク情報」）と、ペンＩＤ（電子ペン識別情報）とを関連付けて、記入情報としてコンピュータ装置２へ送信する。通信ユニット１１１によるコンピュータ装置２への送信は、Ｂｌｕｅｔｏｏｔｈ（登録商標）などの無線送信によって、即時的かつ逐次的に行われる。
【００２６】
［コンピュータ装置］
次に、コンピュータ装置２について説明する。コンピュータ装置２は、ハードウェアとして、電子ペン１とのデータ通信が可能なアンテナ装置、ＣＰＵ等のプロセッサ、ＲＯＭやＲＡＭといったメモリ、ディスプレイ、マウスやキーボード等で構成されるパーソナルコンピュータ等で構成される。図５は、コンピュータ装置２の機能ブロック図である。コンピュータ装置２は、機能的には、マウスやキーボードといった入力手段２１、受信手段２２、処理手段２４、記憶手段２５、表示手段２６及び送信手段２７を備える。そして、コンピュータ装置２は、電子ペン１から受信した記入情報に基づいて所定の処理を行う。
【００２７】
受信手段２２は、アンテナや受信回路等により構成され、電子ペン１から記入情報を受信し、処理手段２４に伝送する。送信手段２７は、処理手段２４の指示によって、表示手段２６の画像表示に用いられる画像信号をプロジェクター６（後述）等に出力するもので、プロジェクター６へのデータ送信方式は、有線式であっても無線式であってもよい。表示手段２６は、ディスプレイ等によって構成され、処理手段２４によって指示された内容を表示する。
【００２８】
記憶手段２５は、ハードディスクやＲＯＭ、ＲＡＭといったメモリによって構成される。記憶手段２５は、座標情報管理テーブルを記憶している。図６は、座標情報管理テーブルのデータ構造を示す概念図である。図６に示すように、座標情報管理テーブルには、シートＩＤ（シート識別情報）と、シート種類と、壁面シート４（４Ａ〜４Ｃ）及び識別シート５Ａ〜５Ｃに印刷された各ドットパターンのドットパターンアドレスと、そのドットパターンの座標領域とが対応付けられている。ここで、ドットパターンの座標領域は、角の位置座標（ｘｎ，ｙｎ）、高さＨｎ、幅Ｗｎで表される。角の位置と高さ及び幅が決まることにより、この座標領域に含まれる位置座標を特定できる。
【００２９】
また、記憶手段２５は、シート関連付け管理テーブルを記憶している。図７は、シート関連付け管理テーブルのデータ構造を示す概念図である。図７に示すように、シート関連付け管理テーブルには、識別シート５Ａ〜５ＣのシートＩＤ及びシート名と、識別シート５Ａ〜５Ｃとそれぞれ同じ壁面３に取り付けられた壁面シート４Ａ〜４Ｃのシート名と、その壁面シートに電子ペン１によって記入された筆跡（ストローク）に関する記入情報の保存先とが対応付けられている。
【００３０】
したがって、図６に示す座標情報管理テーブルと図７に示すシート関連付け管理テーブルにより、ユーザが電子ペン１でまず識別シート５のいずれかをタップしたうえで、その識別シート５と同じ壁面３に取り付けられた壁面シート４で書き込むことによって、電子ペン１から送信された記入情報が、どの壁面シート４に記入されたものであるのか識別して、その記入情報の保存先の壁面シートデータを特定できるようになっている。
【００３１】
また、記憶手段２５は、電子ペン１から送信された記入情報を処理手段２６の処理に応じて記憶する。図８は、記入情報を保存（記憶）する記入データ・ファイルのファイル構造を示している。図８に示すように、記入データ・ファイルは、ファイル属性情報や各壁面シート４に電子ペン１で記入することにより送信された複数の壁面シートデータを含む。ファイル属性情報には、作成日時や更新日時を示す作成日時情報やファイル名などが含まれる。壁面シートデータ０１には、壁面シート４Ａに電子ペン１で記入することにより生成された、ストローク情報やペンＩＤ等から構成される記入情報が保存（記憶）される。壁面シートデータ０２には、壁面シート４Ｂに電子ペン１で記入することにより送信された、ペンＩＤやストローク情報等から構成される記入情報が保存される。壁面シートデータ０３には、壁面シート４Ｃに電子ペン１で記入することにより送信された、ペンＩＤやストローク情報等から構成される記入情報が保存される。また、記憶手段２５には、記入情報からファイルを作成したり、ストロークを描画などしたりするためのプログラム等も記憶されている。
【００３２】
処理手段２４は、ＣＰＵ等のプロセッサによって構成され、プログラムの指令に応じて、受信手段２２により電子ペン１から受信した記入情報を受信すると、記憶手段２５に記憶された座標情報管理テーブルやシート関連付け管理テーブルを参照し、記入情報がどの壁面シート４に記入されたことによるかを識別し、図８に示すファイル構造を有するファイルを作成するとともに、記入情報に基づいてストロークを表示手段２６の表示画面（ディスプレイ）のアプリケーション・ウインドウ上に描画する。また、処理手段２４は、プログラムの指令に応じて種々の処理を行う。
【００３３】
＜処理フロー＞
次に、図９を参照して、情報処理システムにおける処理について説明する。
【００３４】
図９は、処理フロー図である。まず、ユーザが、電子ペン１を用いて、壁面３の識別シート５または壁面シート４のいずれかに記入ないしタップを行う。すると、電子ペン１は、圧力センサ１０７によって所定値以上の筆圧が検出されたことにより識別シート５または壁面シート４への接触を検出し、ＬＥＤ１０５によって赤外線を照射しつつカメラ１０６によって筆跡に沿ってドットパターンを撮像し、プロセッサ１０８によって、撮像されたドットパターンの画像データから筆跡に沿ったＸ，Ｙ座標及びドットパターンアドレスを連続的に演算し、当該位置座標を含むストローク情報とペンＩＤとを関連付けて、記入情報として即時且つ逐次的にコンピュータ装置２へ送信する（ステップＳ１０１）。
【００３５】
コンピュータ装置２では、受信手段２２が、電子ペン１から記入情報（ストローク情報及びペンＩＤ）を受信すると、その記入情報を記憶手段２５に記憶する（ステップＳ２０１）。そして、処理手段２４は、記憶手段２５に記憶された座標情報管理テーブルを参照して、記入情報のストローク情報に含まれる座標データから、識別シート５Ａ〜５Ｃのいずれかへの記入がされたのか、それとも壁面シート４への記入がされたのか判別する（ステップＳ２０２）。処理手段２４は、識別シート５Ａ〜５Ｃのいずれかへの記入がされたものと判別した場合には（ステップＳ２０２：識別シート）、記憶手段２５に記憶されたシート関連付け管理テーブルを参照して、判別した識別シート５に対応付けられた壁面シート４及び壁面シートデータを特定する（ステップＳ２０３）。続いて、処理手段２４は、その後に送信されてくる壁面シート４のドットパターンに基づく記入情報を保存する先の壁面シートデータ（図８参照）を、ステップＳ２０３で特定した壁面シートデータに合わせて設定ないし変更する（ステップＳ２０４）。
【００３６】
一方ステップＳ２０２において、処理手段２４は、壁面シート４への記入がされたものと判別した場合には（ステップＳ２０２：壁面シート）、処理手段２４は、ステップＳ２０４において設定等されている保存先の壁面シートデータに、記入情報を構成するペンＩＤやストローク情報等を格納（保存）する（ステップＳ２０５）とともに、ストローク情報に応じてストロークを描画して、表示手段２６の表示画面に、描画したストロークを表示していく（ステップＳ２０６）。ここで、処理手段２４は、ストローク情報を格納する壁面シートデータが異なれば、表示手段２６の表示画面上のアプリケーション・ウインドウ上の異なるシートないし別のアプリケーション・ウィンドウ上にストロークを表示する。
【００３７】
次に、図９を参照して、ユーザによる情報処理システムの具体的な利用例に沿って、処理について説明する。
【００３８】
まず、ユーザが、コンピュータ装置２で情報処理システムのアプリケーション・プログラムを起動すると、コンピュータ装置２では、記入情報を記憶するための記入データ・ファイルの記憶領域を記憶手段２５に設定してファイル属性情報を記憶する。次に、ユーザが、壁面シート４Ａ〜４Ｃのうち壁面シート４Ａに書き込むことを選択した場合、ユーザは、壁面シート４Ａと同じ壁面３に取り付けられた識別シート５Ａ（シートＩＤ「０１」）に対して電子ペン１でタップする。すると、電子ペン１は、タップした位置におけるドットパターンを読み取って位置座標を演算し、当該位置座標を含むストローク情報とペンＩＤとを関連付けて、記入情報として即時且つ逐次的にコンピュータ装置２へ送信する（ステップＳ１０１）。
【００３９】
コンピュータ装置２では、電子ペン１から受信した記入情報（ストローク情報及びペンＩＤ）を記憶手段２５に記憶する（ステップＳ２０１）。そして、処理手段２４は、座標情報管理テーブルを参照して、ストローク情報に含まれる座標データから、シートＩＤ「０１」である識別シート５Ａに記入がされたものと判別し（ステップＳ２０２）、シート関連付け管理テーブルを参照して、判別した識別シート５Ａに対応付けられた壁面シート４Ａ及び壁面シートデータ０１を特定する（ステップＳ２０３）。続いて、処理手段２４は、その後に送信されてくる壁面シート４Ａのドットパターンに基づく記入情報を保存する先の壁面シートデータとして、壁面シートデータ０１（図８参照）を設定する（ステップＳ２０４）。
【００４０】
次に、ユーザは、先に選択した壁面シート４Ａに対して電子ペン１で任意に文字や記号などの筆跡（ストローク）を記入していく。それに応じて、電子ペン１は、筆跡に沿ったドットパターンを読み取って位置座標を演算していき、当該位置座標を含むストローク情報とペンＩＤと関連付けて、記入情報として即時且つ逐次的にコンピュータ装置２へ送信していく（ステップＳ１０１）。
【００４１】
そして、処理手段２４は、座標情報管理テーブルを参照して、ストローク情報に含まれる座標データから、壁面シート４Ａへの記入がされたものと判断し（ステップＳ２０２）、ステップＳ２０４において記入データ・ファイルの保存先の壁面シートデータとして設定されている壁面シートデータ０１に、電子ペン１から受信した記入情報を構成するペンＩＤやストローク情報等を格納する（ステップＳ２０５）とともに、ストローク情報に応じてストロークを描画して、表示手段２６の表示画面に表示していく（ステップＳ２０６）。
【００４２】
ユーザが、書き込む壁面シート４を壁面シート４Ｂに変更する場合には、まず、壁面シート４Ｂと同じ壁面３に取り付けられた識別シート５Ｂ（シートＩＤ「０２」）に対して電子ペン１でタップする。すると、上記と同様の処理により、コンピュータ装置２では、記憶先の壁面シートデータとして壁面シートデータ０２が記憶手段２５に設定される。次に、ユーザは、変更した壁面シート４Ｂに対して電子ペン１で任意に文字や記号などを構成するストロークを記入していく。すると、上記と同様の処理により、壁面シート４Ｂに電子ペン１で記入することで送信された記入情報を記入データ・ファイルの壁面シートデータ０２に格納するとともに、表示手段２６の表示画面に別シートを表示して、ないし別ウインドウを開いて、ストローク情報に応じてストロークを描画して、そのシート上ないしウインドウ上に表示していく。
【００４３】
＜本第１実施形態の作用効果＞
このように、本第１実施形態における情報処理システムによれば、壁面シート４Ａ〜４Ｃの側方には、同じ壁面上に識別シート５Ａ〜５Ｃが取り付けられており、記憶手段２５には、壁面シート４の座標領域と各識別シート５Ａ〜５Ｃの座標領域が登録された座標情報管理テーブルと、識別シート５Ａ〜５Ｃと壁面シート４Ａ〜４Ｃとの関係が対応付けられたシート関連付け管理テーブルとが記憶されている。そのため、壁面シート４Ａ〜４Ｃに印刷されたドットパターンが同じドットパターン（コピーパターン）であっても、即ち、壁面シート４Ａ〜４Ｃごとに異なるドットパターンとしなくても、ユーザが、予め識別シート５に対して電子ペン１でタップ等をすることで、コンピュータ装置２でユーザが書き込みたい壁面シート４を特定し、その後の壁面シート４への電子ペン１による記入に基づく記入情報を区別して記入データ・ファイルに記憶し、ストロークを描画することができる。また、壁面シート４が複数枚あるので、ユーザは、各識別シート５Ａ〜５Ｃへのタップにより、複数ある壁面シート４を区別して利用するこができる。そのため、使用するドットパターンの座標領域を少なくすることができる。
【００４４】
また、処理手段２４は、壁面シート４に記入された情報を識別して、表示手段２６の表示画面上で異なるシート又は異なるウィンドウにストロークが表示されるため、壁面シート４に記入した情報と、表示画面上のシート又はウィンドウに表示されるストロークが対応することとなり、ユーザにとって認識しやすくなる。また、壁面シート４Ａと識別シート５Ａ、壁面シート４Ｂと識別シート５Ｂ、壁面シート４Ｃと識別シート５Ｃとがそれぞれ対になって、同じ壁面３に取り付けられているため、壁面シート４と識別シート５とが対として関連付けられていることがユーザにとって把握しやすくなっている。
【００４５】
＜第２実施形態＞
次に、第２実施形態における情報処理システムを説明する。第２実施形態の説明では、第１実施形態と異なる構成を中心に説明する。また、第２実施形態において、第１実施形態と同じ符号を付している構成は、特に言及しないものについては、第１実施形態と同様の構成である。
【００４６】
図１０は、本第２実施形態における情報処理システムのシステム構成図である。本第２実施形態の情報処理システムでは、図１０に示すように、コンピュータ装置２の送信手段２７にプロジェクター６が接続されており、表示画面に表示する画像と同じ画像が同期して、プロジェクター６により壁面シート４へ投影されている。また、コンピュータ装置２の処理手段２４は、キャリブレーション処理を実行する機能を有しており、壁面シート４におけるドットパターンの座標系をコンピュータ装置２の表示手段２６の表示画面における座標系に変換するための座標変換関数が求められ、記憶手段２５にその座標変換関数が記憶される。なお、図１０に示す例は、壁面３Ａに取り付けられた壁面シート４Ａに向けて、プロジェクター６により画像が投影されているが、プロジェクター６の向きを変えて、壁面シート４Ｂ、４Ｃのいずれかに対して画像を投影してもよい。ただし、プロジェクター６の向きを変える都度、キャリブレーション処理を行い、座標変換関数を更新するとともに、投影する壁面シート４と同じ壁面３上に取り付けられている識別シート５に電子ペン１でタップ等して、記入情報を保存する先の壁面シートデータを変更する必要がある。
【００４７】
ここで、本第２実施形態の情報処理システムにおいては、壁面シート４に対する電子ペン１のペン先部１０３の移動軌跡（筆跡）に応じて、ストロークがプロジェクター６により投影されるため、電子ペン１のペン部１０４にはインクを充填しなくても良く、または電子ペンのペン先部１０４はインクを充填する構造になっていなくとも良い。
【００４８】
＜処理フロー＞
次に、図１１を参照して、情報処理システムにおける処理について説明する。
【００４９】
図１１は、第２実施形態における処理フロー図である。ここで、図１１のステップＳ３０１は、第１実施形態における図９のステップＳ１０１に対応する。また、図１１のステップＳ４０１〜Ｓ４０４，Ｓ４０６，Ｓ４０７は、第１実施形態における図９のステップＳ２０１〜Ｓ２０４，Ｓ２０５，Ｓ２０６に対応する。第２実施形態において特徴的なのは、処理手段２４が、事前のキャリブレーション処理により求めて記憶手段２５に記憶された座標変換関数により、ステップＳ４０５において、壁面シート４のドットパターンにおける座標を表示手段２６の表示画面における座標に変換することと、ステップＳ４０８で処理手段２４が送信手段２７を通じて表示手段２６の表示内容と同期して画像信号をプロジェクター６に送信し、プロジェクター６が電子ペン１の筆跡に応じて描画されたストロークを壁面シート４へ投影する（ステップＳ５０１）ことである。
【００５０】
図１１に示すように、ユーザが、電子ペン１を用いて、壁面３の識別シート５または壁面シート４のいずれかに記入ないしタップを行う。すると、電子ペン１は、ペン先部１０３近傍のドットパターンを撮像して生成したストローク情報とペンＩＤとを関連付けて、記入情報として即時且つ逐次的にコンピュータ装置２へ送信する（ステップＳ３０１）。
【００５１】
コンピュータ装置２では、電子ペン１から受信した記入情報を記憶手段２５に記憶する（ステップＳ４０１）。そして、処理手段２４は、座標情報管理テーブルを参照して、記入情報のストローク情報に含まれる座標データから、識別シート５Ａ〜５Ｃのいずれかへの記入がされたのか、それとも壁面シート４への記入がされたのか判別する（ステップＳ４０２）。処理手段２４は、識別シート５Ａ〜５Ｃのいずれかへの記入がされたものと判別した場合には（ステップＳ４０２：識別シート）、シート関連付け管理テーブルを参照して、判別した識別シート５に対応付けられた壁面シート４及び壁面シートデータを特定する（ステップＳ４０３）。続いて、処理手段２４は、その後に送信されてくる壁面シート４のドットパターンに基づく記入情報を保存する先の壁面シートデータ（図８参照）を、ステップＳ４０３で特定した壁面シートデータに合わせて設定ないし変更する（ステップＳ４０４）。
【００５２】
一方ステップＳ４０２において、処理手段２４が、壁面シート４への記入がされたものと判断した場合には（ステップＳ４０２：壁面シート）、処理手段２４は、事前のキャリブレーション処理により求めた座標変換関数により、壁面シート４における位置座標を表示手段２６の表示画面（ディスプレイ）における座標に変換する（ステップＳ４０５）。続いて、処理手段２４は、ステップＳ４０４において設定等されている保存先の壁面シートデータに、記入情報を構成するペンＩＤや、表示画面上の位置座標に変換したストローク情報等を格納する（ステップＳ４０６）とともに、ストローク情報に応じてストロークを描画して、表示手段２６の表示画面に、描画したストロークを表示していく（ステップＳ４０７）。ここで、処理手段２４は、ストローク情報を格納する壁面シートデータが異なれば、表示手段２６の表示画面上で、異なるシートないし異なるウィンドウにストロークを描画する。さらに、処理手段２４は、送信手段２７を通じて表示画面の表示と同期して画像信号をプロジェクター６に送信する（ステップＳ４０８）。プロジェクター６は、受信した画像信号を再現して、電子ペン１の筆跡に応じて描画されたストロークを壁面シート４へ投影する（ステップＳ５０１）。
【００５３】
書き込む壁面シート４を変更する場合には、まず、ユーザは、書き込む壁面シート４へ向けてプロジェクター６の向きを変え、キャリブレーション処理を行い、記憶手段２５に記憶された座標変換関数を更新させるとともに、ユーザは、投影する壁面シート４と同じ壁面３上にある識別シート５に電子ペン１でタップ等して、記入情報を保存する先の壁面シートデータを変更させる。そのうえで、変更した壁面シート４に対して電子ペン１で任意に文字や記号などを構成するストロークを記入していく。これにより、上記と同様の処理により、保存する先の壁面シートデータが変更されて、その後の壁面シート４に電子ペン１で記入することで生成されてコンピュータ装置２へ送信された記入情報を変更後の壁面シートデータに格納するとともに、表示手段２６の表示画面に、記入情報のストローク情報に応じてストロークを描画していく。ここで、処理手段２４は、表示手段２６の表示画面上で、異なるシートないし異なるウィンドウにストロークを描画していく。
【００５４】
＜本第２実施形態の作用効果＞
本第２実施形態における情報処理システムにおいても、第１実施形態における情報処理システムと同様の作用効果を奏するとともに、壁面シート４のドットパターンの座標系と表示手段２６の表示画面における座標系とが対応付けられているため、ユーザによる壁面シート４への電子ペン１を用いた記入に合わせて、ストロークが表示画面に表示されるとともにプロジェクター６により壁面シート４に投影される。
【００５５】
＜第３実施形態＞
次に、第３実施形態における情報処理システムを説明する。第３実施形態は、第１，第２実施形態における識別シート５Ａ〜５Ｃの貼り付け位置を変更するものである。
【００５６】
第１，第２実施形態においては、識別シート５Ａ〜５Ｃを、壁面シート５Ａ〜５Ｃから外して、同じ壁面上に取り付けたが、これに代えて、図１２に示すように、識別シート５Ａ〜５Ｃをシールとし、対応する壁面シート４Ａ〜４Ｃ上にそれぞれ貼り付けてもよい。なお、この貼付け方は、次に説明する第４実施形態に適用してもよい。
【００５７】
＜第４実施形態＞
次に、第４実施形態における情報処理システムを説明する。第４実施形態の説明では、第１実施形態と異なる構成を中心に説明する。また、第４実施形態において、第１実施形態と同じ符号を付している構成は、特に言及しないものについては、第１実施形態と同様の構成である。第４実施形態は、第１実施形態における各壁面シート４Ａ〜４Ｃを共通化し、１枚の壁面シート４を識別シート５Ａ〜５Ｃにより識別して使用するものである。
【００５８】
図１３は、本第４実施形態における情報処理システムのシステム構成図である。図１３に示すように、壁面シート４が一つに共通化されて壁面３に取り付けられており、壁面シート４の側方に、識別シート５Ａ〜５Ｃが取り付けられている。また、記憶手段２５には、図６に示す座標情報管理テーブルを記憶しているが、壁面シート４は共通化されているため図７に示すシート関連付け管理テーブルには壁面シート名を記憶していない。また、処理フローについては第１実施形態と同様であるが、壁面シート４は共通化されているため、壁面シート４を複数の中から一つに特定する必要がなく、したがって、ステップＳ２０３（図９参照）での壁面シートの特定が省略され壁面シートデータのみの特定となる。なお、記憶手段２５には座標情報管理テーブルを記憶せず、ステップＳ２０２で特定される識別シート４Ａ〜４ＣのいずれかのシートＩＤによって、保存先の壁面シートデータを決定するようにしてもよい。
【００５９】
＜本第４実施形態の作用効果＞
本第４実施形態における情報処理システムにおいては、同じ壁面シート４に対してユーザが文字や記号等のストロークを記入するが、識別シート４Ａ〜４Ｃのうちユーザが選択して電子ペン１のタップ等をすれば、壁面シート４に電子ペン１で記入することにより生成されるストローク情報等を、壁面シートデータを変えて保存することで、ストローク情報等を区別して取り扱うことができる。
【００６０】
〔変形例〕
なお、本考案は、上記実施形態に限られない。例えば、上記各実施形態においては、アノト方式のドットパターン（コード化パターン）を用いたが、これに限らなくともよい。
また、第１〜第３実施形態においては、記憶手段２５に、座標情報管理テーブルとシート関連付け管理テーブルとの双方が記憶されて処理に参照されるが、単に、識別シート５への電子ペン１のタップ等によって、保存先の壁面シートデータが変更されれば足りるのであれば、図７に示すシート関連付け管理テーブルはなくともよい。この場合、壁面シートの特定は省略されることとなる。
また、第４実施形態においては、第２実施形態のように、壁面シート４に対する電子ペン１のペン先部１０３の移動軌跡（筆跡）に応じて、ストロークが投影されるように、コンピュータ装置２にキャリブレーション処理機能を備え、プロジェクター６を採用するとよい。また、第４実施形態においては、識別シート５Ａ〜５Ｃを壁面に取り付けずにもしくは取り外し可能にして使用してもよい。
また、上記実施形態では、先に識別シート５にタップ等することで、壁面シート４を特定していたが、壁面シート４に先に電子ペン１で記入をしたうえで、保存先の壁面シートデータを特定するために、識別シート５にタップ等する仕様であってもよい。
【産業上の利用可能性】
【００６１】
本情報処理システムは、学校の授業や企業での会議室、講演会、プレゼンテーションなどで利用することができる。
【符号の説明】
【００６２】
１…電子ペン
２…コンピュータ装置
２１…入力手段
２２…受信手段
２４…処理手段
２５…記憶手段
２６…表示手段
２７…送信手段
２０１…表示画面
３，３Ａ〜３Ｃ…壁面
４，４Ａ〜４Ｃ…壁面シート
５Ａ〜５Ｃ…識別シート
６…プロジェクター
【図１】
0003156526.tif 000003
【図２】
0003156526.tif 000004
【図３】
0003156526.tif 000005
【図４】
0003156526.tif 000006
【図５】
0003156526.tif 000007
【図６】
0003156526.tif 000008
【図７】
0003156526.tif 000009
【図８】
0003156526.tif 000010
【図９】
0003156526.tif 000011
【図１０】
0003156526.tif 000012
【図１１】
0003156526.tif 000013
【図１２】
0003156526.tif 000014
【図１３】
0003156526.tif 000015